(57)【要約】【課題】  個別の配信情報を有効活用しながら、情報交流を活性化する。【解決手段】  グループの所属を意味するのれん表示情報をグループ蓄積部に複数登録しておき、前記情報配信者がどの前記グループに所属しているかを所属関係管理部に予め定義しておく。情報配信者はコンテンツ蓄積部に個別配信情報を蓄積していく。情報配信者の個別ＷＥＢページにアクセスがあった際に、所属情報の定義に基づいて、のれん表示情報を個別ＷＥＢページに含めることで、グループに所属した状態の個別ＷＥＢページを配信するようにした。【選択図】図３
2006202105.tif 000002
【特許請求の範囲】
【請求項１】
サーバを用い、通信回線を介して情報を配信する情報配信サーバシステムであって、
グループの所属を意味するのれん表示情報が複数登録されるグループ蓄積部と、
情報配信者の個別ＷＥＢページを生成するための個別配信情報が、該情報配信者毎に蓄積管理されるコンテンツ蓄積部と、
前記情報配信者がどの前記グループに所属しているかが定義された所属情報を有する所属関係管理部と、
前記通信回線を介して前記個別ＷＥＢページにアクセスがあった際に、前記所属情報の定義に基づいて前記のれん表示情報を該個別ＷＥＢページに含めることで、前記グループに所属した状態で該個別ＷＥＢページを配信する個別配信部と、
を有することを特徴とする情報配信システム。
【請求項２】
前記グループの管理者のそれぞれに管理画面を配信し、該グループに所属させる前記情報配信者の識別情報の入力を促すことで、前記所属情報の定義を変更可能にするグループ管理部を備えることを特徴とする請求項１記載の情報配信システム。
【請求項３】
前記のれん表示情報が横幅方向に長い棒形式の情報とされており、前記個別配信部が、該のれん情報を前記個別ＷＥＢページの上部に表示させるようにしたことを特徴とする請求項１又は２に記載の情報配信システム。
【請求項４】
前記のれん表示情報には、メニューとして機能する複数のリンクボタンが含まれていることを特徴とする請求項１、２又は３に記載の情報配信システム。
【請求項５】
前記グループ蓄積部には、各々の前記グループに関する案内情報が登録されており、前記のれん表示情報に含まれる前記リンクボタンを経由して、前記案内情報にアクセス可能になっていることを特徴とする請求項４記載の情報配信システム。
【請求項６】
前記所属関係管理部における前記所属情報には、前記情報配信者が現在所属している前記グループ及び過去に所属していた前記グループの双方が定義されており、
前記個別配信部が、過去に所属していた前記グループの前記のれん表示情報を前記個別ＷＥＢページに含めて配信可能となっていることを特徴とする請求項１乃至５のいずれか記載の情報配信システム。
【請求項７】
前記個別配信部が、現在所属する前記グループの前記のれん表示情報を前記個別ＷＥＢページの上部に配置すると共に、過去に所属していた前記グループの前記のれん表示情報を該個別ＷＥＢページの下部に配置したことを特徴とする請求項６記載の情報配信システム。
【請求項８】
前記グループに所属する複数の情報配信者の前記個別配信情報を用いてグループ総合ページを生成・配信するグループ配信部を更に備えることを特徴とする請求項１乃至７のいずれか記載の情報配信システム。
【請求項９】
前記情報配信者に対して通信回線を介してページ情報登録画面を配信して、前記個別配信情報としての原画像及び本文章の送信を促し、且つ、送信された原画像に基づいて大画像・中画像・小画像を生成して、該大画像・中画像・小画像を前記個別配信情報の一部に含めた状態で前記コンテンツ蓄積部に登録するページ情報加工部を備えることを特徴とする請求項１乃至８のいずれか記載の情報配信システム。
【請求項１０】
前記個別配信部において、特定の前記個別配信情報に含まれる前記中画像又は小画像を他の前記個別ＷＥＢページに挿入させるようにし、該中画像又は小画像に対して、前記特定の個別配信情報を表示する前記個別ＷＥＢページに移動する為のリンクを設定したことを特徴とする請求項９記載の情報配信システム。
【請求項１１】
前記個別配信部が前記個別ＷＥＢページに前記大画像を掲載すると共に、該大画像が前記個別ＷＥＢページの全面積に対して３０％以上を占めるようにしたことを特徴とする請求項９又は１０に記載の情報配信システム。
【発明の詳細な説明】
【技術分野】
【０００１】
本発明は、通信回線を介してサーバにより情報を配信する情報配信システムに関する。
【背景技術】
【０００２】
インターネットが普及した今日では、様々な情報を配信するポータルサイト、匿名で情報を交換する掲示板サイト、ネットで商品購入ができるオンラインショッピングサイト等が数多く立ち上げられ、日常の行動にも大きな影響を与えるようになった。ＨＴＭＬ形式やＸＭＬ形式等の言語によって作成しなければならないホームページに関しても、誰でも容易に作成できる支援ソフトウエア等が開発され、個人であっても容易に情報配信できる環境が整えられている。テレビやラジオのように一般消費者は情報を受けるだけという時代は過去の話となり、現在は、一般消費者が自ら進んで情報発信するようになると予想されている。
【発明の開示】
【発明が解決しようとする課題】
【０００３】
しかしながら、現実は予想と大きく異なっている。インターネット等を用いて実際に情報を発信している主体は、事業活動の一環である大手企業に集中している。例えば、インターネット個人ユーザの９７％は単なる情報の受け手であり、情報を個人的に発信している人は、残りの３％しかいないと考えられている。
【０００４】
この原因の１つは、個人がＷＥＢページによって情報を配信し、多くのアクセスを望もうとする場合、特定のカテゴリに絞った専門サイトを開設して、そのカテゴリに興味を持つユーザを集中的に確保しなければならないことが考えられる。つまり、配信者と受信者の間で共通点を見つけ出して、信頼関係を構築するには、そのホームページ全体をカスタマイズしなければならないという問題があった。
【０００５】
又上記の観点から専門サイトを開設した後、他のカテゴリのユーザに対して情報配信したい場合には、再度、新しいホームページを作成していかなければならないという問題があった。例えば、個人の生活では、趣味、好み、生活環境等が様々に変化しているが、それに応じて情報発信しようとすれば、毎回、新しいＷＥＢページを構築しなければならず、その負担から、ホームページによる情報発信が自分のライフサイクルにおいつかないことが想定された。その結果、個人のホームページに関しては、既に興味を失った（次のカテゴリに興味が以降した）ことによって、全く更新されてないＷＥＢページが数多く存在している。ＷＥＢページの作成ソフトウエア等で、ＷＥＢページの作成自体が如何に簡便になったとしても、このような情報発信環境が変わらない限り、個人が継続的に情報発信することは容易ではないと考えられた。
【０００６】
本発明は上記問題点に鑑みて為されたものであり、コンテンツの利用価値を高め、実際の生活行動と歩調をあわせるように情報配信が可能な情報配信システムを提供することを目的としている。
【課題を解決するための手段】
【０００７】
本発明者は、個人の実際生活における出会い・会話等を通じた情報発信と、従来のインターネット等を用いた情報発信は、基本的に異なっていることに気が付いた。例えば、個人は、家族、幼稚園、小学校、大学、サークル、就職企業等のコミュニティーに順次移行したり、あるいは複数のコミュニティーに同時に所属したりしながら生活を営んでいる。そして、お互いの交流は、相手となる個人が、服装、家柄、出身学校、趣味、資格などのグループ所属に所属しているのか、又どのグループを経て現在に至っているか確認していくことを意味する。その過程で、尊重、共感、反発等を感じながら、交流を深めていくと考えられる。従って、通信回線を用いた情報発信においても、このような生活サイクルと同じような仕組みを以下のように導入することで、上記目的を達成するようにした。
【０００８】
（１）サーバを用い、通信回線を介して情報を配信する情報配信サーバシステムであって、グループの所属を意味するのれん表示情報が複数登録されるグループ蓄積部と、情報配信者の個別ＷＥＢページを生成するための個別配信情報が、該情報配信者毎に蓄積管理されるコンテンツ蓄積部と、前記情報配信者がどの前記グループに所属しているかが定義された所属情報を有する所属関係管理部と、前記通信回線を介して前記個別ＷＥＢページにアクセスがあった際に、前記所属情報の定義に基づいて前記のれん表示情報を該個別ＷＥＢページに含めることで、前記グループに所属した状態で該個別ＷＥＢページを配信する個別配信部と、を有することを特徴とする情報配信システム。
【０００９】
（２）前記グループの管理者のそれぞれに管理画面を配信し、該グループに所属させる前記情報配信者の識別情報の入力を促すことで、前記所属情報の定義を変更可能にするグループ管理部を備えることを特徴とする上記（１）記載の情報配信システム。
【００１０】
（３）前記のれん表示情報が横幅方向に長い棒形式の情報とされており、前記個別配信部が、該のれん情報を前記個別ＷＥＢページの上部に表示させるようにしたことを特徴とする上記（１）又は（２）に記載の情報配信システム。
【００１１】
（４）前記のれん表示情報には、メニューとして機能する複数のリンクボタンが含まれていることを特徴とする上記（１）、（２）又は（３）に記載の情報配信システム。
【００１２】
（５）前記グループ蓄積部には、各々の前記グループに関する案内情報が登録されており、前記のれん表示情報に含まれる前記リンクボタンを経由して、前記案内情報にアクセス可能になっていることを特徴とする上記（４）記載の情報配信システム。
【００１３】
（６）前記所属関係管理部における前記所属情報には、前記情報配信者が現在所属している前記グループ及び過去に所属していた前記グループの双方が定義されており、前記個別配信部が、過去に所属していた前記グループの前記のれん表示情報を前記個別ＷＥＢページに含めて配信可能となっていることを特徴とする上記（１）乃至（５）のいずれか記載の情報配信システム。
【００１４】
（７）前記個別配信部が、現在所属する前記グループの前記のれん表示情報を前記個別ＷＥＢページの上部に配置すると共に、過去に所属していた前記グループの前記のれん表示情報を該個別ＷＥＢページの下部に配置したことを特徴とする上記（６）記載の情報配信システム。
【００１５】
（８）前記グループに所属する複数の情報配信者の前記個別配信情報を用いてグループ総合ページを生成・配信するグループ配信部を更に備えることを特徴とする上記（１）乃至（７）のいずれか記載の情報配信システム。
【００１６】
（９）前記情報配信者に対して通信回線を介してページ情報登録画面を配信して、前記個別配信情報としての原画像及び本文章の送信を促し、且つ、送信された原画像に基づいて大画像・中画像・小画像を生成して、該大画像・中画像・小画像を前記個別配信情報の一部に含めた状態で前記コンテンツ蓄積部に登録するページ情報加工部を備えることを特徴とする上記（１）乃至（８）のいずれか記載の情報配信システム。
【００１７】
（１０）前記個別配信部において、特定の前記個別配信情報に含まれる前記中画像又は小画像を他の前記個別ＷＥＢページに挿入させるようにし、該中画像又は小画像に対して、前記特定の個別配信情報を表示する前記個別ＷＥＢページに移動する為のリンクを設定したことを特徴とする上記（９）記載の情報配信システム。
【００１８】
（１１）前記個別配信部が前記個別ＷＥＢページに前記大画像を掲載すると共に、該大画像が前記個別ＷＥＢページの全面積に対して３０％以上を占めるようにしたことを特徴とする上記（９）又は（１０）に記載の情報配信システム。
【発明の効果】
【００１９】
本発明によれば、情報配信者が、自らのステージに応じて様々なグループに所属しながら情報配信できる。その際に、過去に配信した情報を有効活用することができるので、情報配信者の負担を軽減することもできる。
【発明を実施するための最良の形態】
【００２０】
以下、本発明の実施の形態を添付図面を参照して説明する。
【００２１】
図１に示されるように、本実施形態にかかる情報配信システム１は、配信サーバ２、データベース（ＤＢ）サーバ４、情報配信者が保有する配信者パーソナルコンピュータ（ＰＣ）６と、グループ管理者が保有するグループ管理者ＰＣ８、一般ユーザが保有する一般ＰＣ１０と、これらを繋ぐインターネットやイントラネット等の通信回線１２を備えている。
【００２２】
配信サーバ２は、本システムの運営者によって管理され、Ａｐａｃｈｅ等の専用ソフトウエアによるＷＷＷ（Ｗｏｒｌｄ  Ｗｉｄｅ  Ｗｅｂ）サーバ機能、アクセスログ管理機能、ＳＭＴＰ（Ｓｉｍｐｌｅ  Ｍａｉｌ  Ｔｒａｎｓｆｅｒ  Ｐｒｏｔｏｃｏｌ）等のメールサーバ機能等を備えており、例えばＴＣＰ／ＩＰ通信を介して他の端末と情報の受配信が可能となっている。ＤＢサーバ４は同様にシステム運営者によって管理され、データベースエンジン用のミドルウエア等を備えて各種データを蓄積・管理すると共に、配信サーバ２を経由して、蓄積データを外部に配信するようになっている。配信者ＰＣ６は、情報配信者（コンテンツ作成者）によって管理されており、配信サーバ１を経由して、ＤＢサーバ４にアクセスし、自らの個別配信情報を入力・更新・削除（メンテナンス）するものである。また、グループ管理者ＰＣ８は、同様にＤＢサーバ４にアクセスして、グループとしての各種情報を入力・更新・削除するものである。一般ＰＣ１０は、不特定多数のユーザによって管理されており、配信サーバ２にアクセスして、興味の有る情報を閲覧する端末となっている。
【００２３】
図２には、配信サーバ２の内部ハード構成が模式的に示されている。
【００２４】
この配信サーバ２は、制御手段１１０、記憶手段１２０、ＴＣＰ／ＩＰ通信インタフェース手段１３０を備えており、これの各手段がバス１４０を介して相互に接続されて信号をやり取りが可能となっている。制御手段１１０はＣＰＵであり、プログラムに従って、上記各手段の制御や各種演算処理等を行う。記憶手段１２０は、本情報配信システム１の基本動作を制御する制御プログラム等を格納するＲＯＭ、作業領域として一時的にプログラムやデータを記憶するＲＡＭ、容量の多いデータを格納するディスク型記録媒体等を備える。ＴＣＰ／ＩＰ通信インタフェース手段１３０は、ＬＡＮ等を介して通信回線１２に接続され、他の端末間の通信を行うためのインタフェースである。なお、ＤＢサーバ４や他のＰＣについても、略同様な構成であるため、ここでは上記説明によって省略する。
【００２５】
図３には、配信サーバ２及びＤＢサーバ４等によって実現される各構成要素が模式的に示されている。
【００２６】
図３に示されるように、本情報配信システム１は、大きくはグループ機能群Ｇと個別機能群Ｐに分かれている。グループ機能群Ｇは、具体的に、グループ管理部２００、グループ配信部２０２、グループ蓄積部２０４、を備えており、グループ全体を管理するようになっている。また個別機能群Ｐは、個別配信部２１０、のれん表示処理部２１２、ページ情報加工部２１４、コンテンツ蓄積部２１６を備えている。また、グループ機能群Ｇと個別機能群Ｐを関連付ける役割として、所属関係管理部２２０が設けられており、更に販売・決済エンジン部２２２によってオンラインショッピング機能を個別に提供可能となっている。なお、グループ蓄積部２０４、コンテンツ蓄積部２１２、所属関係管理部２２０は主にＤＢサーバ４によって実現されており、それ以外の部分に関しては、配信サーバ２のプログラム等によって実現される。なお、ここでは配信サーバ２とＤＢサーバ４が別々の装置によって実現されているが、本発明はそれに限定されず、一台のサーバ装置によって実現することも可能であり、反対に、負荷に応じて３台以上の装置を用いて実現しても構わない。
【００２７】
グループ蓄積部２０４には、所定グループの所属を意味するのれん表示情報３０２が複数登録される。こののれん表示情報３０２は、図４に示されるように、ＷＥＢページにおける幅方向に長いバー（棒）形式の情報となっている。更に、本のれん表示情報３０２には、グループ名称３０４、グループとして必要な情報にアクセスさせるリンクメニュー３０６等を有している。例えば、リンクメニュー３０６の中のＴＯＰリンク３０６Ａをクリックすると、のれん表示情報３０２（グループ）を代表するグループ総合ページに移動することが出来る。なお、グループ総合ページでも本のれん表示情報３０２が表示される。また、リンクメニュー３０６の中のプルダウンボタン（例えばプロジェクトボタン）３０６Ｂをクリックすると、下位情報にジャンプする為の下位リンク３０６Ｃがプルダウン表示され、この下位リンク３０６をクリックすることで、希望のＷＥＢページに移行することが出来る。
【００２８】
更にのれん表示情報３０２には、このグループに所属する個別メンバーのリストを得るためのメンバーボタン３０６Ｄが用意されている。このメンバーボタン３０６Ｄをクリックすると、このグループに所属しながら個別に情報配信を行っている個別メンバーのリストがプルダウン表示され、各リストのリンク３０６Ｅをクリックすることで、個別メンバーのＷＥＢページにアクセスすることができる。なお、ここではプルダウン表示する場合を示したが、それ以外にも、メンバーボタン３０６Ｄをクリックすると、個別メンバーのリスト及びアクセスリンクが表示されるメンバー一覧ページ又はメンバー検索ページ等にアクセス可能にしてもよい。
【００２９】
以上のことから、のれん表示情報３０２は、グループの所属関係を視覚的に知らしめるのれん機能と共に、グループとして配信している案内情報（ＷＥＢページ）にアクセスするためのリンク機能を有している。これによって、組織運営に必要な全機能を自在に提供するようになっている。グループ蓄積部２０４には様々なのれん表示情報３０２が蓄積されていることから、様々なグループが形成されている。
【００３０】
グループ管理部２００は、のれん表示情報３０２を有するグループの管理者の管理者ＰＣ８に対して、例えば図５に示されるのれん管理画面３２０を配信する。例えば、のれん管理画面３２０には、グループ代表ＵＲＬ、グループロゴ画像、グループ名称、グループ紹介文章、第１メニューボタン名称、第１メニューよりも下位に属する複数の下位リンク名称・ＵＲＬ、第２メニューボタン名称、第２メニューよりも下位に属する複数の下位リンク名所・ＵＲＬ等の各種情報入力欄（更新欄）が表示される。従って、この管理画面３２０によってのれん表示情報３０２をグループ管理者が自在にカスタマイズできるようになっている。なおここでは特に図示していないが、のれん表示情報３０２のバーの色や、文字の色、リンクの色等を入力させて、色彩に関してもカスタマイズ可能にしてもよい。
【００３１】
更にグループ管理部２００は、図６（Ａ）に示されるような所属メンバー管理画面３５０も配信できる。この所属メンバー管理画面３５０は、管理者が運営するグループに所属を希望する個別情報配信者の識別情報（個別ＩＤ）を入力する入力欄、グループから脱退する個別情報配信者の識別情報を入力する入力欄、これらの情報を送信する送信ボタン等を有している。これにより、図６（Ｂ）に示されるように、所属関係管理部２２０におけるグループの所属情報が定義された所属データベース３６０を更新可能となっている。この所属データベース３６０は、個人情報配信者にユニークに設定された識別情報３６２と、この情報配信者が現在所属しているグループのグループ管理情報（管理ＩＤ）３６４と、過去に所属していたグループ管理情報３６６が蓄積されている。なお、現在所属しているグループは１つの場合に限定されず、２以上のグループに同時に所属している場合も考えられる。本実施形態では、同時に２つのグループまでが登録可能で、又過去の履歴としては直近７グループまで登録可能となっている。
【００３２】
従って、のれん表示情報３０２内で所属メンバーを一覧表示する場合や、所属メンバーを検索する場合には、この所属関係管理部２２０と連動して実現することになる。
【００３３】
なお、図５及び図６（Ａ）で示した管理画面３２０、３５０に対するアクセスは、予め管理者に提供されているパスワードを用いて、管理者が管理者ＰＣ８を用いて配信サーバ２にログインできた場合に、初めて認めるようにして、セキュリティーを高めるようにしている。
【００３４】
ページ情報加工部２１４は、配信者ＰＣ６に対して、通信回線１２を介して図７に示されるようなページ情報登録画面４００を配信する。このページ情報登録画面４００は、個別配信情報として、カテゴリ選択欄４０２、タイトル入力欄４０４、本文入力欄４０６、参考リンク先ＵＲＬ入力欄４０８、画像アップロード入力欄４１０、情報送信ボタン４１２、ショッピング選択欄４１６等を有しており、配信者に対してこれらの情報を入力するように促す。配信者は、上記各入力欄の情報を埋めていき、情報送信ボタン４１２をクリックすることで、ページ情報加工部２１４に対してこれらの情報を送信する。特にここでは、すくなくとも１つの原画像（素材画像）と本文を入力させることによって、画像を中心とした情報配信を可能にしている。
【００３５】
情報を受信したページ情報加工部２１４は、図８に示されるように、受信した情報を個別配信情報４２８としてコンテンツ蓄積部２１６に登録する。具体的には、受信した原画像４３０に基づいて、個別ＷＥＢページ用の大画像４３２、リンク用の中画像４３４、アイコン又は携帯端末用の小画像４３６を画像生成プログラムによって自動生成し、これらの各画像４３２、４３４、４３６も個別配信情報４３２に含めて登録しておく。従って、各個別配信情報４２８には、記事番号４４０、カテゴリ４４２、タイトル４４４、本文４４６、原画像４３０、加工済み画像４３２、４３４、４３６、リンク先ＵＲＬ４４８、入力／更新タイムスタンプ４５０、ショッピング機能要否４５２等が含まれるようになる。コンテンツ蓄積部２１６には、情報配信者毎に複数の個別配信情報（個別ＷＥＢページ）４２８が順次蓄積される。
【００３６】
一般ＰＣ１０から情報配信要求があった場合に、個別配信部２１０は、要求された記事番号４４０に基づいてコンテンツ蓄積部２１６を参照し、個別配信情報４２８を抽出する。更に、所属データベース３６０（図６（Ｂ）参照）にもアクセスして、その情報配信者の所属グループを分析し、図９に示されるような個別ＷＥＢページ５００を生成する。
【００３７】
この個別ＷＥＢページ５００は、上部にのれん表示情報３０２が自動的に挿入されている。即ち、個別配信情報４２８とのれん表示情報３０２の双方に基づいて、１つの個別ＷＥＢページ５００が生成される。この結果、個別ＷＥＢページ５００に直接アクセスした者であっても、情報配信者がどのグループに現在所属しているかに関して視覚的に判断可能となっている。また、このように、のれん表示情報３０２が自動的に挿入されることで、個人で発信している情報にも関わらず、そのグループの一員として配信していることにもなっている。
【００３８】
また、過去に所属していたグループについては、過去ののれん表示情報３０２Ａ、３０２Ｂ、３０２Ｃとしてページの下部に表示される。過去ののれん表示情報３０２Ａ、３０２Ｂ、３０２Ｃは、メニューボタン等が削除されると共に、バー形状における縦方向寸法（バーの幅の広さ）が小さくなった状態で表示される。この過去ののれん表示情報をクリックすると、グループ総合ページに移動することが可能である。その結果、情報配信者が過去にどのようなグループに所属してきたかを、閲覧者に知らせることができ、現在の状況だけでは把握できないような、配信者の性格や趣味、生い立ち、考え方等、幅の広い間接的情報による交流を進展させることができる。なお、過去ののれん表示情報３０２Ａ、３０２Ｂ、３０２Ｃについて、そのサイズを現在よりも小さくしたのは、複数の過去の履歴を表示した際に、個別ＷＥＢページが縦方向に長くなってしまうことを防止し、デザイン性を高めるためである。
【００３９】
個別ＷＥＢページ５００の中央近傍には、個別配信情報４２８の大画像４３２が表示される。この大きさは、ＷＥＢページ５００の３０％を超えるように設定されているので、この大画像４３２がページの主要部となっている。なお、更に好ましくは個別ＷＥＢページ５００全体の５０％以上をこの大画像４３２によって占めるようにする。大画像４３２の上部には、タイトル４４４が表示され、下部には本文４４６が表示されている。更に、本文４４６と、最下部の過去ののれん表示情報３０２Ａ、３０２Ｂ、３０２Ｃの間には、この情報配信者によって登録された他の個別配信情報４２８の小画像４３６及びタイトル４４４（の一部）が、新着順に横方向に並んで表示される。この小画像４３６をクリックすると、その小画像４３６を含んだ個別配信情報４２８の個別ＷＥＢページ５００にジャンプする。従って情報配信者が登録した複数の個別ＷＥＢページ５００間を自在に移動可能となっている。
【００４０】
なお、特に図示しないが、この小画像４３６は、携帯電話等に対して配信する携帯端末専用ＷＥＢページの中心画像として用いられている。また、コンテンツ蓄積部２１６において、個別配信情報４２８のショッピング機能要否４５２をＯＮにした場合には、個別配信部２１０が、ショッピング処理エリア５１０を自動挿入する。このショッピング処理エリア５１０には、大画像４３２に掲載されている商品をオンラインで購入するための価格表示（これも予め個別配信情報４２８に登録しておく）と購入ボタンが少なくとも含まれており、この購入ボタンをクリックすることで販売・決済エンジン部２２２（図３参照）が起動し、購入リストと金額を提示して、オンライン決済が可能となっている。なお、オンライン決済を実行する場合には、通信回線を介してクレジット会社や銀行等の金融会社が保有する決済処理サーバにアクセスして、具体的な決済を行うようにする。
【００４１】
個別配信部２１０は、図１０に示されるように、情報配信者にとっての個別トップＷＥＢページ６００を配信可能となっている。この個別トップＷＥＢページ６００でも、上部にのれん表示情報３０２が、下部には過去ののれん表示情報３０２Ａ、３０２Ｂ、３０２Ｃが自動的に挿入される。中央には、情報配信者が登録した全ての個別配信情報４２８の中から、アクセスの多い情報を３つ抽出し、その中画像４３４及び本文４４６（の一部）を表示する。なお、ここではアクセスの多い順に示す場合を示したが、本発明はそれに限定されず、情報配信者が選択することによって任意に個別トップページ６００を構成することも可能である。更に、個別トップＷＥＢページ６００の左サイドには、自己紹介文章６０２や新着記事６０４等も掲載可能となっている。この場合は予め、コンテンツ蓄積部２１６にこれらの情報を登録しておくようにする。また個別トップページ６００の下方には情報配信者がお勧めする個別配信情報４２８の小画像４３６及びタイトル４４４（の一部）が、横方向に並んで表示されている。このようにして、大・中・小の画像を効果的に利用しながら、自動的に情報配信が可能となっている。
【００４２】
グループ配信部２０２は、図１１に示されるように、一般ＰＣ１０からの送信要求に対して、グループ総合ページ７００を配信する。具体的には、グループ配信部２０２が所属データベース３６０を参照し、そのグループに所属している複数の情報配信者の個別配信情報４２８から新着情報を抽出し、中画像４３４、又は小画像４３６を数件表示することによってコンテンツを紹介する。例えば、この中画像４３４をクリックすると、個別トップページ６００又は個別ＷＥＢページ５００にジャンプする。又、管理者が自ら推薦する情報配信者（の個別配信情報４２８）を選択して、お勧め情報として紹介することも可能である。その際、個別配信情報４２８におけるタイトル４４４や本文４４６を抽出して、表示するようにしてもよい。
【００４３】
このグループ総合ページ７００の上部には、このグループののれん表示情報３０２が表示されている。従って、このグループに所属している個別ＷＥＢページ５００等を移動していく限りでは、のれん表示情報３０２が全てにおいて共通化されているので、グループ全体の総合情報サイトが、所属している個別配信者によって運営されているような状況を自動的に生成することができる。
【００４４】
グループ総合ページ７００の中央の左側には、グループ紹介文章７０２及びメンバーの参加状況７０４等が掲載されている。これは、グループの管理者が適宜更新していくものである。
【００４５】
本情報配信システム１によれば、情報配信者が、自らのステージに応じて、様々なグループに所属していくことが可能になる。例えば図１２に示されるように、情報配信者であるＡ君は、通っているＢ大学が運営しているグループに所属しながら、個別に情報発信を行う。そして、個別トップＷＥＢページ６００や個別ＷＥＢページ５００を用いて自分の能力等をＰＲしながら就職活動を行う。そして、Ｃ会社への入社が決定し、勤務を開始した段階で、Ｂ大学グループの所属から外れ、Ｃ会社が運営するグループに所属する。その際に、今まで大学生活で配信してきた情報を、そのまま移動させることが出来る。又、Ｂ大学に所属していたという履歴も、過去ののれん表示情報として表示することが可能になる。従って、Ｃ会社に所属している多くのメンバーの中で交流していく中で、Ｂ大学出身のメンバーとも容易に出会うことが可能になる。また、ここでは特に図示しないが、そのようにＢ大学出身のメンバーが集まった場合、その中の一人或いは全員で、Ｃ社内のＢ大学ＯＢという新たなグループサイトを開設して、そのグループにも同時に所属してもよい。その後、Ｙ会社に転職した場合には、Ｃ会社の所属から外れて、Ｙ会社にコンテンツを移動させる。その場合は、Ｂ大学所属、Ｃ会社所属という履歴を保有しながら、Ｙ会社のグループ内で情報配信することができる。
【００４６】
従って、この情報配信システム１によれば、過去に配信してきた個別配信情報４２８を保有しながらグループ間を移動し、新たな情報を発信していくことが可能になる。その結果、個別配信情報４２８を有効活用できると共に、お互いの過去の経験等を含めた中身の濃い情報交流が通信回線上で実現可能になる。また、実際の社会生活のように、個人でありながら、家族の一員であり、更に何らかのグループ（例えば企業や学校、サークル）に所属しているという多層の生活環境を、インターネットの環境においても、のれん表示情報を用いることで実現できる。
【００４７】
また本情報配信システム１によれば、画像を中心として情報を配信していることから、デジタル写真等を利用できる者であれば、容易に情報配信が可能となっている。更に、１つのオリジナル画像を基礎に、情報配信に好ましい画像を少なくとも３種類自動生成して、様々な場面で利用しており、効果的にメッセージを伝えることが可能となっている。更に、オンラインショッピング機能をいつでも追加できるので、画像単位で（即ち個別配信情報単位で）、いつでも簡便にオンラインショッピングに移行できる。情報配信を行いながら、購入を希望するユーザが増えてきた段階で、画像（商品）単位で出品するということも可能である。
【００４８】
なお、本実施形態では、個別ＷＥＢページの上部に１つののれん表示情報が掲載される場合に限って示したが、本発明はそれに限定されない。例えば、２つ以上ののれん表示情報を同時に掲載することで、その配信者が同時に所属しているグループを表示することも可能である。またその際に、所属の優越（絆の強さ）に応じて、のれんの大きさを異ならせたり、色の濃さを変えたりすることも可能である。例えば、のれん表示情報を自動的に変化させる場合には、そのグループ内での個別配信情報の掲載回数や、記事へのアクセス数等を用いることができる。積極的に情報配信している者には、大きなのれんを提供することも可能である。
【００４９】
また、ここでは個別情報配信者とグループの管理者が別々である場合を示したが本発明はそれに限定されない。例えば、最初は個人のれん（即ち、他人の登録が零の状態）で情報発信を行い、有る程度のアクセスを確保できた段階で、グループのれんに切り替えて、他の配信者の登録を受け付けていくことも可能である。また、ここでは、グループに対する所属の管理を、グループ管理者が実行する場合に限って示したが、例えば、グループに自由に参加できるようにすることもできる。また、ここでは個別ＷＥＢページ等で、上部にバー形式ののれんを示す場合を示したが、本発明はそれに限定されず、一定の面積によって、視覚的にグループ表示が可能であれば、他の形状であっても構わない。また、上下に長いバー形式により、左サイドに現在ののれん、右サイドに過去ののれんを表示することもできる。
【産業上の利用可能性】
【００５０】
本情報配信システムは、小学校・中学校・大学・専門学校等において情報配信の教育ツールとして用いることができる。それにより、学生による情報発信自体を社会進出の支援として活用することが出来る。履歴書よりも個人の個性や能力を伝えることができるからである。
【図面の簡単な説明】
【００５１】
【図１】本実施形態の情報配信システムのシステム構成例を模式的に示すシステム構成図
【図２】同情報配信システムのサーバ等の内部構成を示すブロック図
【図３】同情報配信システムの機能構成を示すブロック図
【図４】同情報配信システムに蓄積されるのれん表示情報の例を示す図
【図５】同情報配信システムによって配信されるグループ管理画面の例を示す図
【図６】（Ａ）は、同情報配信システムによって配信される所属メンバー管理画面の例を示す図、（Ｂ）は同所属メンバー管理画面によって更新される所属関係データベースの構成例を示す配列図
【図７】同情報配信システムによって配信されるページ情報登録画面の例を示す図
【図８】同情報配信システムに蓄積される個別配信情報のデータベース構成例を示す配列図
【図９】同情報配信システムによって配信される個別ＷＥＢページの例を示す図
【図１０】同情報配信システムによって配信される個別トップＷＥＢページの例を示す図
【図１１】同情報配信システムによって配信されるグループ総合ページの例を示す図
【図１２】同情報配信システムによる情報配信者の移動例を模式的に示す概念図
【符号の説明】
【００５２】
１          情報配信システム
２          配信サーバ
４          データベースサーバ
６          配信者ＰＣ
８          グループ管理者ＰＣ
１０        一般ＰＣ
１２        通信回線
３０２      のれん表示情報
３２０      グループ管理画面
３５０      所属メンバー管理画面
３６０      所属データベース
４００      ページ情報登録画面
４２８      個別配信情報
５００      個別ＷＥＢページ
６００      個別トップＷＥＢページ
７００      グループ総合ページ
【図１】
2006202105.tif 000003
【図２】
2006202105.tif 000004
【図３】
2006202105.tif 000005
【図４】
2006202105.tif 000006
【図５】
2006202105.tif 000007
【図６】
2006202105.tif 000008
【図７】
2006202105.tif 000009
【図８】
2006202105.tif 000010
【図９】
2006202105.tif 000011
【図１０】
2006202105.tif 000012
【図１１】
2006202105.tif 000013
【図１２】
2006202105.tif 000014